(57)【要約】【課題】クランプオン型アンカを提供すること。【解決手段】溶接によりパイプの外表面に取り付けてあるパイプ・トラニオン・ストップを有するパイプ・アンカを開示する。対になった上端クレードルおよび下端クレードルが、パイプの長さを大略的に取り囲んで保持する。下端クレードルは、パイプ・トラニオン・ストップを収容できる開口部を有している。基部があり、この基部上に下端クレードルが固定され、基部は空隙を含み、この空隙の中にパイプ・トラニオンが固定してある。パイプと、上端クレードルおよび下端クレードルとの間に、ならびにパイプ・トラニオン・ストップの周囲に、断熱層が位置している。上端クレードル部上のボルト締め組立部品と、下端クレードル部上のはめ合いボルト締め組立部品とが、上端クレードル部と下端クレードル部とを互いに固定する。他の実施形態では、複数のパイプ・トラニオン・ストップを、それぞれの開口部および基部の空隙部分とともに含んでいる。【選択図】図１
2014525550.tif 000002
【特許請求の範囲】
【請求項１】
ａ）側部および底部を有し、パイプの外表面に取り付けてあるパイプ・トラニオン・ストップを含み、
ｂ）前記パイプの長さを大略的に取り囲んで保持する対になった上端クレードル部および下端クレードル部を含み、
ｃ）前記パイプ・トラニオン・ストップがその中を通り抜けることができる前記下端クレードル内の開口部を含み、
ｄ）基部を含み、前記基部上には前記下端クレードルが固定され、前記基部は空隙を含み、前記空隙の中に前記パイプ・トラニオンを固定する、パイプ・アンカ組立体。
【請求項２】
ａ）前記パイプと上端クレードル部の間に位置する断熱層をさらに含む、請求項１に記載のパイプ・アンカ組立体。
【請求項３】
ａ）前記パイプと下端クレードル部の間に位置する断熱層をさらに含み、前記断熱層は前記パイプ・トラニオン・ストップがその中を通り抜けて前記基部まで行くことができる開口空隙を含む、請求項１に記載のパイプ・アンカ組立体。
【請求項４】
ａ）前記パイプと上端クレードル部の間に位置する断熱層と、
ｂ）前記パイプと下端クレードル部の間に位置する断熱層と、
ｃ）前記パイプ・トラニオン・ストップの１つ以上の側部上に位置する断熱層と、をさらに含む、請求項１に記載のパイプ・アンカ組立体。
【請求項５】
ａ）前記パイプ・トラニオン・ストップのすべての側部および底部上に位置する断熱材の空隙をさらに含む、請求項１に記載のパイプ・アンカ組立体。
【請求項６】
ａ）基部支持部をさらに含み、前記基部支持部上には前記基部が取り付けてあり、前記基部支持部は軸方向阻止部と横方向阻止部とを有する、請求項１に記載のパイプ・アンカ組立体。
【請求項７】
ａ）前記上端クレードル部上のボルト締め組立部品と、
ｂ）前記上端クレードル部と前記下端クレードル部とを互いに固定する前記下端クレードル部上のはめ合いボルト締め組立部品と、をさらに含む、請求項１に記載のパイプ・アンカ組立体。
【請求項８】
前記パイプ・トラニオン・ストップが略長方形の断面形状を有している、請求項１に記載のパイプ・アンカ組立体。
【請求項９】
ａ）側部および底部を有し、略多角形の断面形状を有し、パイプの外表面に取り付けてあるパイプ・トラニオン・ストップを含み、
ｂ）前記パイプの長さを大略的に取り囲んで保持する対になった上端クレードル部および下端クレードル部を含み、
ｃ）前記パイプ・トラニオン・ストップが通り抜けることができる前記下端クレードル内の開口部を含み、
ｄ）基部を含み、前記基部上には前記下端クレードルが固定され、前記基部は空隙を含み、前記空隙の中に前記パイプ・トラニオンを固定し、
ｅ）前記パイプと下端クレードル部の間に位置する断熱層を含み、
ｆ）前記パイプ・トラニオン・ストップのすべての側部および底部に位置する断熱層を含み、
ｇ）少なくとも２つの阻止部を有する基部支持部を含む、パイプ・アンカ組立体。
【請求項１０】
ａ）側部および底部を有し、パイプの外表面に取り付けてある１つ以上のパイプ・トラニオン・ストップを含み、
ｂ）前記パイプの長さを大略的に取り囲んで保持する対になった上端クレードル部および下端クレードル部を含み、
ｃ）前記パイプ・トラニオン・ストップが通り抜けることができる前記下端クレードル部内の各パイプ・トラニオン・ストップ用の開口部を含み、
ｄ）基部を含み、前記基部上には前記下端クレードルが固定され、前記基部は前記１つ以上のパイプ・トラニオン・ストップの各々用の空隙を含み、前記空隙の中には前記１つ以上のパイプ・トラニオン・ストップが固定してあり、
ｅ）前記パイプと、前記上端クレードル部および下端クレードル部との間に位置する断熱層を含み、
ｆ）前記１つ以上のパイプ・トラニオン・ストップの各々のすべての側部および底部上に位置する断熱層を含む、パイプ・アンカ組立体。
【請求項１１】
ａ）前記上端クレードル部上のボルト締め組立部品と、
ｂ）前記上端クレードル部と前記下端クレードル部とを互いに固定する前記下端クレードル部上のはめ合いボルト締め組立部品と、をさらに含む、請求項１０に記載のパイプ・アンカ組立体。
【請求項１２】
ａ）前記パイプと下端クレードル部の間に位置する断熱層をさらに含み、前記断熱層は前記パイプ・トラニオン・ストップがその中を通り抜けて前記基部まで行くことができる前記１つ以上のパイプ・トラニオン・ストップの各々用の開口空隙を含む、請求項１０に記載のパイプ・アンカ組立体。
【請求項１３】
ａ）前記パイプと上端クレードル部の間に位置する断熱層と、
ｂ）前記パイプと下端クレードル部の間に位置する断熱層と、
ｃ）前記１つ以上のパイプ・トラニオン・ストップの各々の１つ以上の側部上に位置する断熱層と、をさらに含む、請求項１０に記載のパイプ・アンカ組立体。
【請求項１４】
ａ）前記１つ以上のパイプ・トラニオン・ストップの各々のすべての側部および底部上に位置する断熱材の空隙をさらに含む、請求項１０に記載のパイプ・アンカ組立体。
【請求項１５】
ａ）前記パイプと上端クレードル部の間に位置する断熱層をさらに含む、請求項１０に記載のパイプ・アンカ組立体。
【請求項１６】
ａ）側部および底部を有し、パイプの外表面に取り付けてあるパイプ・トラニオン・ストップを含み、
ｂ）前記パイプの長さを大略的に取り囲んで保持する少なくとも１つのストラップを含み、
ｃ）基部を含み、前記基部上には前記ストラップが固定され、前記基部は空隙を含み、前記空隙の中に前記パイプ・トラニオン・ストップを固定し、
ｄ）前記基部の空隙内の前記トラニオン・ストップの周囲に位置する断熱材の空隙を含む、パイプ・アンカ組立体。
【請求項１７】
ａ）前記ストラップ上の貫通開口部をさらに含む、請求項１６に記載のパイプ・アンカ組立体。
【請求項１８】
前記パイプ・トラニオン・ストップが略長方形である、請求項１６に記載のパイプ・アンカ組立体。
【請求項１９】
前記基部が基部支持部に固定して取り付けてある、請求項１６に記載のパイプ・アンカ組立体。
【請求項２０】
ａ）前記トラニオン・ストップのまわりに位置する断熱材をさらに含む、請求項１６に記載のパイプ・アンカ組立体。
【発明の詳細な説明】
【技術分野】
【０００１】
この発明は、パイプ・アンカに関する。
【背景技術】
【０００２】
典型的なパイプ・アンカ支持部が、パイプに取り付けられた突起または平板を使用する。これらの突起はパイプを取り囲んでおり、パイプ移動で生じる力を、パイプの突起から、断熱材を介して、ハウジングに溶接された相手側の突起まで伝達する。この配置を使用する場合、重大な設計上の短所がある。このような環境では、断熱材の断面幅が十分大きくて、その結果、十分広い圧縮面積で、パイプが生成する軸方向圧縮力と、その応力の下でパイプを保持している応力と、に抵抗できるようになっている必要がある。より新しい断熱材は、向上した断熱特性のおかげで、より薄い断熱断面を可能にするため、通常、パイプの突起が適切に機能しなくなるほど、圧縮面積を大幅に減少させる。
【発明の概要】
【発明が解決しようとする課題】
【０００３】
本発明の利点は、現場でパイプラインに取り付けることができて、ハウジング組立部品に対してパイプ部分が軸方向、横方向、および回転方向に移動するのを確実に制限するクランプオン型アンカを提供することである。
【課題を解決するための手段】
【０００４】
本発明に基づいて、改良されたパイプ・トラニオン・ストップ・アンカが、独自の軸方向拘束システムを提供する。パイプ・トラニオン・ストップがプロセス・パイプに溶接してあり、パイプが生成する軸方向力を基部クレードルに伝達するようになっている。基部クレードルは構造的熱的挿入物を含み、これらの構造的熱的挿入物は基部組立部品からパイプ・トラニオン・ストップを分離する。また、基部組立部品は、パイプ・トラニオン・ストップが基部組立部品に対して軸方向に動かないようにするとともに、パイプ・トラニオン・ストップが基部組立部品に対して横方向に動かないようにする。また、パイプ・トラニオン・ストップ用の垂直方向支持部がある。
【０００５】
本発明の好ましい実施形態に基づいて、側部および底部を有し、パイプの外表面に取り付けてあるパイプ・トラニオン・ストップを有し、パイプの長さを大略的に取り囲んで保持する対になった上端クレードル部および下端クレードル部を有し、パイプ・トラニオン・ストップが通り抜けることができる下端クレードル内の開口部を有し、基部を有し、この基部上に下端クレードルが固定され、この基部は空隙を含み、この空隙の中にパイプ・トラニオン・ストップが固定してある、パイプ・アンカ組立体を示している。
【０００６】
本発明の好ましい実施形態に基づいて、側部および底部を有し、略多角形の断面形状を有し、パイプの外表面に取り付けてあるパイプ・トラニオン・ストップを有し、パイプの長さを大略的に取り囲んで保持する対になった上端クレードル部および下端クレードル部を有し、パイプ・トラニオン・ストップが通り抜けることができる下端クレードル内の開口部を有し、基部を有し、この基部上に下端クレードルが固定され、この基部は空隙を含み、この空隙の中にパイプ・トラニオンが固定してあり、パイプと下端クレードル部の間に位置する断熱層を有し、パイプ・トラニオン・ストップのすべての側部および底部に位置する断熱層を有し、少なくとも２つの阻止部を有する基部支持部を有する、パイプ・アンカ組立体を示している。
【０００７】
本発明の好ましい実施形態に基づいて、側部および底部を有し、パイプの外表面に取り付けてあるパイプ・トラニオン・ストップを有し、パイプの長さを大略的に取り囲んで保持する少なくとも１つのストラップを有し、基部を有し、この基部上にはストラップが固定され、この基部は空隙を含み、この空隙の中にパイプ・トラニオンが固定してあり、基部の空隙内のトラニオン・ストップの周囲に位置する断熱材の空隙を有する、パイプ・アンカ組立体を示している。
【０００８】
以下の図面が本明細書の一部を構成しており、さまざまな形態で具体化してもよい本発明に対する例示的実施形態を含んでいる。いくつかの場合には、本発明の理解を容易にするために本発明のさまざまな態様を誇張したり、または拡大したりして示してある可能性があることを理解すべきである。
【図面の簡単な説明】
【０００９】
【図１】本発明の好ましい実施形態のパイプ・アンカ組立体の分解組立図を示している。
【図２】本発明の他の好ましい実施形態のパイプ・アンカ組立体の正面図である。
【発明を実施するための形態】
【００１０】
本明細書では、好ましい実施形態の詳細な説明を提供している。しかしながら、本発明は、さまざまな形態で具体化してもよいことを理解すべきである。特定の部品形状および細部、部品位置、または部品構成に関して、本発明のさまざまな態様を反対にしたり、または変更したりしてもよい。したがって、本明細書で開示する個別の細部は、限定と解釈すべきではなく、むしろクレームの基礎と解釈すべきであり、実質的に任意の適切に詳述されたシステム、構造、または方法において本発明を使用する方法を当業者に教示する代表的な土台と解釈すべきである。
【００１１】
最初に図１を参照すると、本発明の好ましい実施形態のパイプ・アンカを示している。パイプ・アンカ１０が、パイプ１５の断面長さを取り囲む形の分解組立図で示してある。パイプ・アンカ１０は、２方向でパイプ１５を捕捉する。最初に、パイプ１５を完全に取り囲むようにパイプ１５にパイプ・アンカ１０を取り付けて、組立部品６２を用いてボルト締めしてパイプ・アンカ１０を固定するが、詳細については後述する。同時に、基部組立部品４２内の空洞４４にパイプ・トラニオン・ストップ２１がぴったりはまるが、この件もまた、詳細については後述する。
【００１２】
好ましい図示の実施形態ではパイプ・トラニオン・ストップ２１をパイプ１５に溶接しているが、中間にあるツメおよびボルト、ろう付け、ならびにパイプ部分上にパイプ・トラニオン・ストップ２１を一体で組み立てることを含む、パイプ・トラニオン・ストップ２１をパイプ１５に固定する他の方法を使用してもよい。パイプ・トラニオン・ストップ２１の断面形状を長方形として図示しているが、断面形状は、パイプ・アンカ組立体の使用を意図している個別の環境に応じて、さまざまな形であってもよいことが理解される。パイプ・トラニオン・ストップ２１は、基部組立部品６２内の相手側の空洞４４と併用することにより、改良された固定を提供する。パイプ・トラニオン・ストップ２１は、空洞の中でずれたり、または動いたりすることを防止するために多角形構造に形作ることが好ましい。また、いくつかの実施形態では、パイプ・トラニオン・ストップ２１が円形、長円形、または楕円形であってもよい。基部組立部品４２の長さおよび幅は、力からパイプ１５への移動が発生させる力に対抗するのに十分な面積を作り出す必要に応じて、パイプ・トラニオン・ストップ２１の長さおよび幅といっしょに変更できる。
【００１３】
パイプ・アンカ１０は上端クレードル２４および基部クレードル２７を含んでいる。上端クレードル２４は、基部クレードル２７上のボルト締めチューブ２６と結合するボルト締めチューブ２５を含んでいる。これらの対になったボルト締めチューブ２５、２６により、パイプ・アンカ１０はパイプ１５を取り囲む。また、下端クレードル２４は開口空隙２９を含み、パイプ・トラニオン・ストップ２１が通り抜けて、図示のようにパイプ・トラニオン・ストップ２１を基部組立部品４２内に固定してもよいようになっている。図示の実施形態では、上端クレードル２４上の８個のボルト締めチューブ２５と、基部クレードル２７上の８個の対になったボルト締めチューブ２６とを示しているが、環境に応じて任意の適切な個数のボルト締めチューブを使用してもよいことが理解される。あるいは、対になった上端クレードル２４および基部クレードル２７を、片側にはヒンジ付けで取り付けて、反対側にはボルトまたは技術的に公知の他の機構を用いて互いに適切に取り付けてもよい。
【００１４】
パイプ・アンカ１０の領域内のパイプ１５に所要の断熱を提供するために、パイプ１５と上端クレードル２４の間に上端断熱材３１を提供して設置している。同様に、パイプ１５と基部クレードル２７の間に下方断熱材３３を設置している。また、下方断熱材３３内には開口空隙３６が設けてあり、図示のようにパイプ・トラニオン・ストップ２１が下方断熱材３３を通り抜けて、基部組立部品４２としっかりと結合できるようになっている。容易に分かるように、好ましい設計は、熱損失が存在する可能性があるトラニオンおよび他の領域のまわりに断熱材を挿入するための空隙またはスペースを含んでいる。あるいは、パイプ・トラニオン・ストップ２１の通過を可能にさせるストラップ、ひも、または他の円周方向ブラケットを取り囲むことにより、上端断熱材３１と下方断熱材３３とにパイプ１５を固定してもよい。また、クレードルは、パイプ１５を取り囲むように構成して、その後、ブラケットで取り付けたり、またはストラップで固定したりして、パイプ１５を取り囲んで断熱材を使用できるようにしてもよい。
【００１５】
パイプ・トラニオン・ストップ２１をパイプ１５に取り付けることにより、さらに断熱することが望ましい。したがって、パイプ・トラニオン・ストップ２１の前後の側壁の前方および後方に、軸方向の阻止構造断熱材５１を図示しており、パイプ・トラニオン・ストップ２１の周囲を断熱するとともにパイプ１５の軸方向安定性を支援するようになっている。同様に、パイプ・トラニオン・ストップ２１の横方向の側壁に隣接して、横方向の阻止構造断熱材５３を図示しており、断熱を提供するとともにパイプ１５の横方向安定性を支援するようになっている。パイプ・トラニオン・ストップ２１の周囲の断熱を完全にするために、垂直方向の阻止構造断熱材５５を提供して、パイプ・トラニオン・ストップ２１の垂直方向安定性を支援する。図１では、軸方向の阻止断熱材５１、横方向の阻止構造断熱材５３、および垂直方向の阻止構造断熱材５５を、パイプ・トラニオン・ストップ２１からある距離だけ離れているように図示しているが、それは説明のために過ぎず、使用時には、これらの断熱材はパイプ・トラニオン・ストップ２１の各側壁に直接隣接している。
【００１６】
引き続き図１では、基部組立部品４２が示されており、この基部組立部品４２上にはパイプ・アンカ１０といっしょにパイプ１５が支持されている。基部組立部品４２は湾曲しており、パイプ１５および基部クレードル２７を支持するとともに安定性を提供するようになっている。基部組立部品４２は空洞４４をさらに含み、この空洞４４の中に、軸方向の阻止断熱材５１、横方向の阻止構造断熱材５３、および垂直方向の阻止構造断熱材５５といっしょにパイプ・トラニオン・ストップ２１がはまり込んでいる。また、追加の構造支持部を提供するために基部組立部品４２上に支持フィン４５が図示してあり、特別な目的のために任意の個数および設計の支持フィンを使用してもよいことが理解される。基部組立部品４２は、図１に示すように基部組立部品支持部６１上に取り付けてあり、外部の軸方向阻止部６５と外部の横方向阻止部６７とを含み、パイプ１５の移動を阻止するために追加の軸方向および横方向の支持を提供している。現場には、基部組立部品支持部６１があらかじめ存在する場合が多く、図示の実施形態では、基部組立部品４２は基部組立部品支持部６１に溶接で取り付けてある。
【００１７】
好ましい実施形態に示すように、パイプ・トラニオン・ストップ２１は、パイプ１５に対する断熱を保持しながら、改良された横方向、軸方向、および垂直方向の支持を提供する。使用する特定の断熱材は本発明の一部ではなく、任意の適切な断熱材を使用してもよいことが理解されるであろう。図示の好ましい実施形態では、商標Ｃｒｙｏｇｅｌ（登録商標）で市販されている断熱材を含むエアロゲルに基づく薄い断熱材を使用してもよい。
【００１８】
次に図２を参照すると、本発明の他の好ましい実施形態のパイプ・アンカの正面図を示している。上述の図１の同様の要素には、一貫性を保つために同様の番号ラベルを付けてあるが、番号ラベルの後にダッシュ記号を振っている。図２の実施形態は、パイプの円周の周囲の約０°、９０°、１８０°、および２７０°に位置する４個のパイプ・トラニオン・ストップ２１′を示している。要求される特定の環境および使用に適するように、任意の１個、２個、３個、または４個すべてのパイプ・トラニオン・ストップ２１′を使用してもよいこと、およびパイプ円周のまわりの任意の位置にパイプ・トラニオン・ストップ２１′を設置できることは当業者には明らかである。４個のパイプ・トラニオン・ストップ２１′を受け入れるために、ボルト組立部品６２′が水平面に対して約４５°の位置にずれているが、任意の適切な位置決めを使用してもよい。また、パイプ・トラニオン・ストップ２１′の個数および位置に応じて、クレードル開口空隙、断熱材開口空隙、および基部組立部品、ならびに各空隙４４′の個数および位置を調節する。上述のように、本発明の要旨および範囲を逸脱することなく、金属ブラケット、ストラップ、または円周方向の金属ケースを取り付けるためのストラップを取り囲むことを採用してもよい。
【００１９】
本発明は、好ましい実施形態に関連して説明しているが、記載の特定の形態に本発明の範囲を限定することを意図しているわけではなく、それどころか、添付クレームで定義されるような本発明の要旨および範囲内に含まれる可能性があるこのような代替物、変更物、および均等物を含むことを意図している。
【００２０】
本出願は、２０１１年８月２６日に出願された「パイプ・アンカ」と題する米国の一般の特許出願番号第１３／２１９，２０６号に基づいており、当該出願は引用することにより、あたかも本明細書に完全に記載されているかのように本明細書に組み込まれているものとする。
【図１】
2014525550.tif 000003
【図２】
2014525550.tif 000004
【国際調査報告】
2014525550.tif 000005